【事件の表示】
　特願２０１３−１３０５８７「画像処理装置、画像処理方法、及び、プログラム」拒絶査定不服審判事件〔平成２７年　１月　８日出願公開、特開２０１５−　　５１７６、請求項の数（９）〕について、次のとおり審決する。
【結　論】
　原査定を取り消す。
　本願の発明は、特許すべきものとする。
【理　由】
第１　手続の経緯
　本願は、平成２５年６月２１日の出願であって、平成２９年１月１６日付けで拒絶理由通知がされ、平成２９年６月２９日付けで拒絶査定（原査定）がされ、これに対し、平成２９年９月２７日に拒絶査定不服審判の請求がされ、平成３０年７月１０日付けの拒絶理由通知（以下、「当審拒絶理由通知１」という。）に対し、平成３０年９月１２日に手続補正がされ、平成３０年９月２５日付けの拒絶理由通知（以下、「当審拒絶理由通知２」という。）に対し、平成３０年１１月８日に手続補正がされたものである。
第２　原査定の概要
　原査定（平成２９年６月２９日付け拒絶査定）の概要は次のとおりである。
　本願請求項１−１０に係る発明は、以下の引用文献Ａ−Ｃに基づいて、その発明の属する技術の分野における通常の知識を有する者（以下、「当業者」という。）が容易に発明できたものであるから、特許法第２９条第２項の規定により特許を受けることができない。
引用文献等一覧
Ａ.特開２０１３−０８４２５６号公報
Ｂ.特開２０１２−１９４７３１号公報
Ｃ.特開２０１２−０４３２１４号公報
第３　当審拒絶理由の概要
　当審拒絶理由の概要は次のとおりである。
ア　当審拒絶理由通知１について
１．本願請求項１−５，９，１０に係る発明は、以下の引用文献１に記載された発明であるから、特許法第２９条第１項第３号に該当し、特許を受けることができない。 
２．本願請求項１−１０に係る発明は、以下の引用文献１，２に基づいて、当業者が容易に発明できたものであるから、特許法第２９条第２項の規定により特許を受けることができない。
引用文献等一覧
１．特開２０１３−０８４２５６号公報（拒絶査定時の引用文献Ａ）
２．特開２０１０−１１８０１５号公報（当審において新たに引用した文献）
イ　当審拒絶理由通知２について
１．本願請求項１−９に係る発明は、発明の詳細な説明に記載したものでないので、特許法第３６条第６項第１号に規定する要件を満たしていない。
２．本願請求項１−９に係る発明は、明確でないので、特許法第３６条第６項第２号に規定する要件を満たしていない。
第４　本願発明
　本願請求項１−９に係る発明（以下、それぞれ「本願発明１」−「本願発明９」という。）は、平成３０年１１月８日付けの手続補正で補正された特許請求の範囲の請求項１−９に記載された事項により特定される発明であり、以下のとおりの発明である。
「　　【請求項１】
　原稿の画像を読み取って画像データを生成する画像読取処理、及び、画像データに基づいて用紙上に画像を形成する画像形成処理、の少なくとも一方に関する画像処理を制御する制御部と、前記画像処理の動作に関する操作を受け付けるための操作ボタンを表示して、前記画像処理の操作をユーザから受け付ける、複数点のタッチを検出可能な操作部と、を備え、前記制御部は、表示後の前記操作ボタンに対する１回のタッチ操作が行われるだけで、当該タッチ操作における前記操作ボタンの表示領域内のタッチ点数を識別し、識別したタッチ点数に応じた設定に基づく各々の前記画像処理を実行する、画像処理装置。
　　【請求項２】
　前記操作部は、前記操作ボタンとして、前記画像処理の実行を開始するためのスタートボタンを表示し、前記制御部は、前記スタートボタンの操作を検知すると、前記スタートボタンの表示領域内のタッチ点数を識別して、識別したタッチ点数に応じた動作モードでの画像処理の実行を開始する、請求項１に記載の画像処理装置。
　　【請求項３】
　前記制御部が制御する前記画像処理は、画像データに基づいて用紙上に画像を形成する画像形成処理を含み、前記制御部は、前記操作ボタンがタッチされたとき、前記操作ボタンの表示領域内のタッチ点数を識別し、各々の前記画像形成処理に基づく設定のうち、識別したタッチ点数に応じた前記画像形成処理に基づく設定での画像形成処理を実行する、請求項１又は２に記載の画像処理装置。
　　【請求項４】
　前記制御部が制御する前記画像処理は、原稿の画像を読み取って画像データを生成する画像読取処理を含み、前記制御部は、前記操作ボタンがタッチされたとき、前記操作ボタンの表示領域内のタッチ点数を識別し、各々の前記画像読取処理に基づく設定のうち、識別したタッチ点数に応じた前記画像読取処理に基づく設定での画像読取処理を実行する、請求項１から３のいずれか１項に記載の画像処理装置。
　　【請求項５】
　前記制御部は、前記操作部を操作するための操作子によるタッチが離れた時のタッチ点数に応じた動作モードでの画像処理を実行する、請求項１から４のいずれか１項に記載の画像処理装置。
　　【請求項６】
　前記操作子によるタッチが継続している間、前記制御部は、前記タッチ点数に応じた動作モードの内容を表示する、請求項５に記載の画像処理装置。
　　【請求項７】
　前記制御部は、前記動作モードの内容を、前記操作子によりタッチしている操作ボタンの近傍に表示する、請求項６に記載の画像処理装置。
　　【請求項８】
　原稿の画像を読み取って画像データを生成する画像読取処理、及び、画像データに基づいて用紙上に画像を形成する画像形成処理、の少なくとも一方に関する画像処理を制御するコンピュータが、前記画像処理の動作に関する操作を受け付けるための操作ボタンを表示して、前記画像処理の操作をユーザから受け付けるステップと、表示後の前記操作ボタンに対する１回のタッチ操作が行われるだけで、当該タッチ操作における前記操作ボタンの表示領域内のタッチ点数を識別し、識別したタッチ点数に応じた設定に基づく各々の前記画像処理を実行するステップと、を実行する画像処理方法。
　　【請求項９】
　原稿の画像を読み取って画像データを生成する画像読取処理、及び、画像データに基づいて用紙上に画像を形成する画像形成処理、の少なくとも一方に関する画像処理を制御するコンピュータに、前記画像処理の動作に関する操作を受け付けるための操作ボタンを表示して、前記画像処理の操作をユーザから受け付けるステップと、表示後の前記操作ボタンに対する１回のタッチ操作が行われるだけで、当該タッチ操作における前記操作ボタンの表示領域内のタッチ点数を識別し、識別したタッチ点数に応じた設定に基づく各々の前記画像処理を実行するステップと、を実行させるためのプログラム。」
第５　引用文献１、引用発明について
　平成３０年７月１０日付けの拒絶の理由に引用された引用文献１には、図面とともに次の事項が記載されている。なお、下線は当審にて付与したものである。
ア　段落【００１４】−【００２９】 
 「【００１４】
 ＜実施例＞
　図１に、本願に係る実施例として例示される多機能機１０のブロック図を示す。多機能機のことを、Multifunction Peripheralと記述することもある。また、Multifunction PeripheralのことをＭＦＰと略すこともある。
 【００１５】
 ＜多機能機１０の構成＞ 
　
多機能機１０は、プリンタ機能、スキャナ機能、コピー機能、ファクシミリ機能、電話機能などを有する装置である。多機能機１０は、制御部１２、タッチパネル５０、ハードキー５２、印刷部５４、スキャン部５６、ＦＡＸ部５８、ネットワークインターフェイス６０、等を備える。制御部１２は、ＣＰＵ１４、ＲＯＭ１６、ＲＡＭ３０、ＮＶＲＡＭ（Non Volatile RAMの略）４０、等を有する。
 【００１６】
　ＲＯＭ１６は、多機能機１０の基本的な動作を制御するための基本機能プログラム１８を記憶している。ＣＰＵ１４は、ＲＯＭ１６に記憶されているプログラムに従って様々な処理を実行する。ＣＰＵ１４が実行する処理については、後で詳しく説明する。ＲＡＭ３０は、揮発性のメモリであり、基本機能プログラム１８に従って処理が実行される過程で生成される各種データを記憶するための記憶領域である。
 【００１７】
　図１に示すように、多機能機１０の上面正面側には、タッチパネル５０が設けられている。タッチパネル５０は、ユーザの指や、スタイラスが接触または接近された指示座標を検出する機能を有する。スタイラスのことをタッチパネル用ペンと記述することもある。また、タッチパネル５０は、各種の画像を表示する機能を有する。図４に、
タッチパネル５０に表示される待機画面７１
待機画面７１には、カスタムボタンＢ１ないしＢ４、追加ボタンＢ５、メニューボタンＢ６、が表示されている。
 【００１８】
　カスタムボタンＢ１ないしＢ４の各々は、多機能機１０の動作に関する動作設定を、予めユーザ好みの設定値に編集した上で割り当てておくことができるボタンである。
カスタムボタンＢ１は、「カスタムスキャン」に関するボタンである。
ユーザは、カスタムボタンＢ１にタッチすることによって、予め編集されたスキャン設定に基づいて、スキャン処理を実行することができる。
 【００１９】
　
カスタムボタンＢ２は、「カスタムコピー」に関するボタンである。
ユーザは、カスタムボタンＢ２にタッチすることによって、予め編集されたコピー設定に基づいて、コピー処理を実行することができる。
 【００２０】
　
カスタムボタンＢ３は、「カスタム印刷」に関するボタンである。
ユーザは、カスタムボタンＢ３にタッチすることによって、予め編集された印刷設定に基づいて、印刷処理を実行することができる。
 【００２１】
　
カスタムボタンＢ４は、「カスタムＦＡＸ」に関するボタンである。
 【００２２】
　追加ボタンＢ５は、カスタムボタンの追加に関するボタンである。ユーザは、追加ボタンＢ５のボタン画像にタッチすることによって、新たなカスタムボタンを待機画面７１に表示させることができる。メニューボタンＢ６は、メニュー画面の表示に関するボタンである。メニューボタンＢ６のボタン画像がタッチされると、待機画面７１よりも下層のメニュー画面が、タッチパネル５０に表示される。
 【００２３】
　ＮＶＲＡＭ４０は、不揮発性のメモリである。
ＮＶＲＡＭ４０は、設定テーブルＴＢ１ないしＴＢ４、および、変更対象設定テーブルＴＢＡを記憶する。設定テーブルＴＢ１ないしＴＢ４はそれぞれ、「カスタムスキャン」「カスタムコピー」「カスタム印刷」「カスタムＦＡＸ」用フォーマットの設定テーブルである。
設定テーブルＴＢ１は、カスタムボタンＢ１に対応付けられている、スキャン設定１０１、特定入力態様１０２、変更対象設定１０３を記憶するテーブルである。
 【００２４】
　
特定入力態様１０２は、カスタムボタンＢ１に対応付けられる入力の態様である。特定入力態様１０２として選択されている入力の態様で、カスタムボタンに対して指示座標が入力されると、後述する設定画面（例：図５の画面）を表示することなく、スキャン設定１０１に基づいて即座にスキャン処理が開始される。
 【００２５】
　変更対象設定１０３は、カスタムボタンＢ１に特定入力態様１０２に設定された入力態様で指示座標が入力された後において、特定の入力数値を入力することにより変更することができる設定である。変更対象設定１０３には、スキャン設定１０１のうちの何れか１つを選択することができる。スキャン設定１０１には、解像度１１１、ファイル種類１１２、用紙サイズ１１３、カラー設定１１４が含まれる。
 【００２６】
　図８に、設定テーブルＴＢ２の一例を示す。
設定テーブルＴＢ２は、カスタムボタンＢ２に対応付けられているコピー設定２０１、特定入力態様２０２および変更対象設定２０３を記憶するテーブルである。
特定入力態様２０２の設定値は、前述の特定入力態様１０２の設定値と同様である。
 【００２７】
　図９に、設定テーブルＴＢ３の一例を示す。
設定テーブルＴＢ３は、カスタムボタンＢ３に対応付けられている印刷設定３０１、特定入力態様３０２および変更対象設定３０３を記憶するテーブルである。
特定入力態様３０２の設定値は、前述の特定入力態様１０２の設定値と同様である。
 【００２８】
　図１０に、設定テーブルＴＢ４の一例を示す。
設定テーブルＴＢ４は、カスタムボタンＢ４に対応付けられているＦＡＸ設定４０１、特定入力態様４０２および変更対象設定４０３を記憶するテーブルである。
特定入力態様４０２の設定値は、前述の特定入力態様１０２の設定値と同様である。
 【００２９】
　図１２に、変更対象設定テーブルＴＢＡの一例を示す。
変更対象設定テーブルＴＢＡは、設定テーブルＴＢ１ないしＴＢ４における変更対象設定１０３ないし４０３に設定可能な設定について、変更対象設定項目５１１、設定値５２１ないし５２５を記憶するテーブルである。変更対象設定項目５１１は、解像度５１２、ファイル種類５１３、用紙サイズ５１４、カラー設定５１５、部数５１６、両面印刷設定５１７、送信モード５１８、送信速度５１９の設定項目を備える。設定値５２１ないし５２５は、変更対象設定項目５１１が備える設定項目についての入力数値１ないし５に対応する設定値である。
  
 イ　段落【００３４】−【００４８】
 「【００３４】
　図３のフローを説明する。図３のフローでは、タッチされたカスタムボタンに対応付けられた動作が、多機能機１０で実行される。Ｓ１０２において、ＣＰＵ１４は、待機画面７１をタッチパネル５０に表示する。図１３の表示画面例に示すように、待機画面７１には、カスタムボタンＢ１ないしＢ４、およびＢ７が、互いに区別可能な態様で表示されている。具体的には、カスタムボタンＢ１ないしＢ４、追加ボタンＢ５、あるいは、追加されたカスタムボタンＢ７などうち、いずれか一つを表示するための表示領域であるカスタム表示領域を示す座標が、ＲＯＭ１６に予め記憶されている。ＲＯＭ１６は、複数のカスタム表示領域についての座標を記憶している。複数のカスタム表示領域は、連番が割り当てられており、１番目の表示領域は、もっとも左上に表示される表示領域であり、２番目以降の表示領域もそれぞれ、表示される座標が決まっている。ＣＰＵ１４は、カスタムボタンＢ１ないしＢ４を、１番目ないし４番目の表示領域に表示させ、追加カスタムボタン情報がＮＶＲＡＭ４０に記憶されていれば、追加カスタムボタン情報に対応するカスタムボタンを５番目の表示領域に表示させる。複数の追加カスタムボタン情報が記憶されていれば、２つ目以降の追加カスタムボタン情報に対応するカスタムボタンを、６番目以降の表示領域に表示させる。そして、ＣＰＵ１４は、もっともカスタムボタンが表示されている表示領域のうち、もっとも後位の表示領域の次の順番の表示領域に、追加ボタンを表示させる。図１３は、追加カスタムボタン情報としては追加カスタムボタン情報ＢＤ７のみがＮＶＲＡＭ４０に記憶されている場合の待機画面７１の表示例である。この場合、ＣＰＵ１４は、カスタムボタンＢ７を５番目の表示領域に表示させ、追加ボタンを６番目の表示領域に表示させる。
 【００３５】
　
Ｓ１０４において、ＣＰＵ１４は、カスタムボタンが表示されている表示領域の何れかに指示座標が入力されたか否かを判断する。
 【００３６】
　
Ｓ１１２において、ＣＰＵ１４は、カスタムボタンに対する指示座標の入力の態様が、シングルクリックであるか、長押しまたはダブルクリックであるか、それ以外の態様であるか、を判断する。
  
 　・・・（中略）・・・
  
 【００４３】
　一方、
Ｓ１１２において、指示座標の入力の態様が長押しまたはダブルクリックであると判断された場合（Ｓ１１２：長押しまたはダブルクリック）には、Ｓ１１３へ進む。
Ｓ１１３ないしＳ１１８において、カスタムボタンＢ２へ長押しの態様の指示座標が入力された場合の動作
なお、カスタムボタンＢ１、Ｂ３、Ｂ４に対して長押しまたはダブルクリックの態様の指示座標が入力された場合の動作は、カスタムボタンＢ２に対して長押しまたはダブルクリックの態様の指示座標が入力された場合の動作と同様である
 【００４４】
　
Ｓ１１３においてＣＰＵ１４は、指示座標の入力の態様が、特定入力態様に一致するか否かを判断する。
カスタムボタンＢ２への指示座標の入力の態様（例えば、長押し）が、設定テーブルＴＢ２に記憶されている特定入力態様２０２と一致するため（Ｓ１１３：ＹＥＳ）、Ｓ１１４へ進む。
ＣＰＵ１４は、Ｓ１１４へ進むときに、設定テーブルＴＢ２に記憶されている設定値を、ロード中設定テーブルとしてＲＡＭ３０に記憶させる。
 【００４５】
　
Ｓ１１４において、ＣＰＵ１４は、特定入力態様の指示座標が入力されたカスタムボタンに対して、数値を追加入力する操作がなされたかを判断する。具体的には、ＣＰＵ１４は、カスタムボタンに特定入力態様の指示座標が入力された時点から、予め定められた追加クリック時間内に、特定入力態様の指示座標が入力されたカスタムボタンの表示領域内で、指示座標が新たに検出されたか否かを判断する。すなわち、追加クリック操作が行われたか否かを判断する。
追加クリック操作が行われた場合（Ｓ１１４：ＹＥＳ）にはＳ１１６へ進む。
 【００４６】
　
Ｓ１１６において、ＣＰＵ１４は、追加クリック操作の回数を計測する。
計測された追加クリック操作の回数を入力数値と判断し、変更対象設定テーブルＴＢＡに基づいて、ロード中設定テーブルに変更対象設定として記憶されている設定項目の設定値を変更する。
 【００４７】
　
Ｓ１１７において、ＣＰＵ１４は、追加クリック操作によって変更された設定値を、特定入力態様の指示座標が入力されたカスタムボタンの表示領域内に表示する。
 【００４８】
　
Ｓ１１８において、ＣＰＵ１４は、ロード中設定テーブルの設定値に従って、カスタムボタンに対応付けられている動作を実行する。このとき、Ｓ１１６において設定値が変更されている場合には、変更後の設定値に従って動作を実行する。
  
 ウ　段落【００５５】−【００５８】
 「【００５５】
 ＜変形例＞
　
特定入力態様１０２ないし４０２として選択される入力の態様は、長押しやダブルクリックに限られない。例えば、３回以上の連続クリック、スライド、フリック、特定の記号やアルファベットを示すジェスチャー入力、複数点タッチ、などが挙げられる。
複数点タッチは、２点以上の指示座標の入力が同時期に行われる入力のことである。２点以上の指示座標がカスタムボタンが表示されている表示領域のいずれかで同時に検出された場合には、複数点タッチの入力の態様であると判断してもよい。
  
 　・・・（中略）・・・
  
 【００５８】
　追加クリック操作（Ｓ１１４、Ｓ１１６、Ｓ１１８）の受け付けを行わない形態であってもよい。この場合、図３のフローにおいて、指示座標の入力の態様が特定入力態様に一致する場合（Ｓ１１３：ＹＥＳ）には、Ｓ１１８へ進んで、カスタムボタンに対応付けられている動作を実行するとすればよい。
また、変更対象設定の設定値を変更するための数値入力の態様は、追加クリック操作に限られない。例えば、スライド、フリック、特定の記号やアルファベットを示すジェスチャー入力、複数点タッチ、などが挙げられる。
複数点タッチを数値入力に用いる場合は、Ｓ１１６においてＣＰＵ１４は、同時にいくつの指示座標に対してタッチがなされたのかを計測する。ＣＰＵ１４は、タッチされた指示座標の数に応じて、入力数値が１ないし５のいずれであるかを判断してもよい。ＣＰＵ１４は、判断した入力数値に応じて、変更対象設定の設定値を変更してもよい。
  
 エ　【図１２】
  
 　図１２より、「
変更対象設定テーブルＴＢＡにおける、入力数値に対する変更対象設定項目の設定値は、解像度の場合、１００ｄｐｉ、３００ｄｐｉ、６００ｄｐｉ、１２００ｄｐｉ、２４００ｄｐｉであり、ファイル種類の場合、ＢＭＰ、ＪＰＧ、ＰＤＦ、ＰＮＧであり、カラー設定の場合、モノクロ、グレースケール、カラーであり、両面印刷設定の場合、片面、両面である
  
 　したがって、引用文献１には、次の発明（以下、「引用発明」という。）が記載されていると認められる。 
  
 「多機能機１０は、プリンタ機能、スキャナ機能、コピー機能、ファクシミリ機能、電話機能などを有する装置であり、制御部１２、タッチパネル５０、ハードキー５２、印刷部５４、スキャン部５６、ＦＡＸ部５８、ネットワークインターフェイス６０、等を備え、制御部１２は、ＣＰＵ１４、ＲＯＭ１６、ＲＡＭ３０、ＮＶＲＡＭ（Non Volatile RAMの略）４０、等を有し、
　タッチパネル５０に表示される待機画面７１には、カスタムボタンＢ１ないしＢ４、追加ボタンＢ５、メニューボタンＢ６、が表示され、
　カスタムボタンＢ１は、「カスタムスキャン」に関するボタンであり、ユーザは、カスタムボタンＢ１にタッチすることによって、予め編集されたスキャン設定に基づいて、スキャン処理を実行することができ、
　カスタムボタンＢ２は、「カスタムコピー」に関するボタンであり、ユーザは、カスタムボタンＢ２にタッチすることによって、予め編集されたコピー設定に基づいて、コピー処理を実行することができ、
　カスタムボタンＢ３は、「カスタム印刷」に関するボタンであり、ユーザは、カスタムボタンＢ３にタッチすることによって、予め編集された印刷設定に基づいて、印刷処理を実行することができ、
　カスタムボタンＢ４は、「カスタムＦＡＸ」に関するボタンであり、
　ＮＶＲＡＭ４０は、設定テーブルＴＢ１ないしＴＢ４、および、変更対象設定テーブルＴＢＡを記憶し、設定テーブルＴＢ１ないしＴＢ４はそれぞれ、「カスタムスキャン」「カスタムコピー」「カスタム印刷」「カスタムＦＡＸ」用フォーマットの設定テーブルであり、
　設定テーブルＴＢ１は、カスタムボタンＢ１に対応付けられている、スキャン設定１０１、特定入力態様１０２、変更対象設定１０３を記憶するテーブルであり、
　特定入力態様１０２は、カスタムボタンＢ１に対応付けられる入力の態様であり、特定入力態様１０２として選択されている入力の態様で、カスタムボタンに対して指示座標が入力されると、設定画面を表示することなく、スキャン設定１０１に基づいて即座にスキャン処理が開始され、
　設定テーブルＴＢ２は、カスタムボタンＢ２に対応付けられているコピー設定２０１、特定入力態様２０２および変更対象設定２０３を記憶するテーブルであり、特定入力態様２０２の設定値は、前述の特定入力態様１０２の設定値と同様であり、
　設定テーブルＴＢ３は、カスタムボタンＢ３に対応付けられている印刷設定３０１、特定入力態様３０２および変更対象設定３０３を記憶するテーブルであり、特定入力態様３０２の設定値は、前述の特定入力態様１０２の設定値と同様であり、
　設定テーブルＴＢ４は、カスタムボタンＢ４に対応付けられているＦＡＸ設定４０１、特定入力態様４０２および変更対象設定４０３を記憶するテーブルであり、特定入力態様４０２の設定値は、前述の特定入力態様１０２の設定値と同様であり、
　変更対象設定テーブルＴＢＡは、設定テーブルＴＢ１ないしＴＢ４における変更対象設定１０３ないし４０３に設定可能な設定について、変更対象設定項目５１１、設定値５２１ないし５２５を記憶するテーブルであり、変更対象設定項目５１１は、解像度５１２、ファイル種類５１３、用紙サイズ５１４、カラー設定５１５、部数５１６、両面印刷設定５１７、送信モード５１８、送信速度５１９の設定項目を備え、設定値５２１ないし５２５は、変更対象設定項目５１１が備える設定項目についての入力数値１ないし５に対応する設定値であり、
　Ｓ１０４において、ＣＰＵ１４は、カスタムボタンが表示されている表示領域の何れかに指示座標が入力されたか否かを判断し、
　Ｓ１１２において、ＣＰＵ１４は、カスタムボタンに対する指示座標の入力の態様が、シングルクリックであるか、長押しまたはダブルクリックであるか、それ以外の態様であるか、を判断し、
　Ｓ１１２において、指示座標の入力の態様が長押しまたはダブルクリックであると判断された場合（Ｓ１１２：長押しまたはダブルクリック）には、Ｓ１１３へ進み、
　カスタムボタンＢ２へ長押しの態様の指示座標が入力された場合の動作は、
　Ｓ１１３においてＣＰＵ１４は、指示座標の入力の態様が、特定入力態様に一致するか否かを判断し、カスタムボタンＢ２への指示座標の入力の態様（例えば、長押し）が、設定テーブルＴＢ２に記憶されている特定入力態様２０２と一致するため（Ｓ１１３：ＹＥＳ）、Ｓ１１４へ進み、このとき、設定テーブルＴＢ２に記憶されている設定値を、ロード中設定テーブルとしてＲＡＭ３０に記憶させ、
　カスタムボタンＢ１、Ｂ３、Ｂ４に対して長押しまたはダブルクリックの態様の指示座標が入力された場合の動作は、カスタムボタンＢ２に対して長押しまたはダブルクリックの態様の指示座標が入力された場合の動作と同様であり、
　Ｓ１１４において、ＣＰＵ１４は、特定入力態様の指示座標が入力されたカスタムボタンに対して、数値を追加入力する操作がなされたかを判断し、具体的には、ＣＰＵ１４は、カスタムボタンに特定入力態様の指示座標が入力された時点から、予め定められた追加クリック時間内に、特定入力態様の指示座標が入力されたカスタムボタンの表示領域内で、指示座標が新たに検出されたか否かを判断し、すなわち、追加クリック操作が行われたか否かを判断し、追加クリック操作が行われた場合（Ｓ１１４：ＹＥＳ）にはＳ１１６へ進み、
　Ｓ１１６において、ＣＰＵ１４は、追加クリック操作の回数を計測し、計測された追加クリック操作の回数を入力数値と判断し、変更対象設定テーブルＴＢＡに基づいて、ロード中設定テーブルに変更対象設定として記憶されている設定項目の設定値を変更し、
　Ｓ１１７において、ＣＰＵ１４は、追加クリック操作によって変更された設定値を、特定入力態様の指示座標が入力されたカスタムボタンの表示領域内に表示し、
　Ｓ１１８において、ＣＰＵ１４は、ロード中設定テーブルの設定値に従って、カスタムボタンに対応付けられている動作を実行し、このとき、Ｓ１１６において設定値が変更されている場合には、変更後の設定値に従って動作を実行し、
　特定入力態様１０２ないし４０２として選択される入力の態様は、長押しやダブルクリックに限られず、例えば、３回以上の連続クリック、スライド、フリック、特定の記号やアルファベットを示すジェスチャー入力、複数点タッチ、などが挙げられ、
　複数点タッチは、２点以上の指示座標の入力が同時期に行われる入力のことであり、２点以上の指示座標がカスタムボタンが表示されている表示領域のいずれかで同時に検出された場合には、複数点タッチの入力の態様であると判断してもよく、
　変更対象設定の設定値を変更するための数値入力の態様は、追加クリック操作に限られず、例えば、スライド、フリック、特定の記号やアルファベットを示すジェスチャー入力、複数点タッチ、などが挙げられ、
　複数点タッチを数値入力に用いる場合は、Ｓ１１６においてＣＰＵ１４は、同時にいくつの指示座標に対してタッチがなされたのかを計測し、ＣＰＵ１４は、タッチされた指示座標の数に応じて、入力数値が１ないし５のいずれであるかを判断してもよく、ＣＰＵ１４は、判断した入力数値に応じて、変更対象設定の設定値を変更してもよく、
　変更対象設定テーブルＴＢＡにおける、入力数値に対する変更対象設定項目の設定値は、解像度の場合、１００ｄｐｉ、３００ｄｐｉ、６００ｄｐｉ、１２００ｄｐｉ、２４００ｄｐｉであり、ファイル種類の場合、ＢＭＰ、ＪＰＧ、ＰＤＦ、ＰＮＧであり、カラー設定の場合、モノクロ、グレースケール、カラーであり、両面印刷設定の場合、片面、両面である、
　多機能機１０。」
  
第６　対比・判断
１．本願発明１について
（１）対比
　本願発明１と引用発明とを対比すると、次のことがいえる。 
  
 ア　引用発明の「多機能機１０」は、「プリンタ機能、スキャナ機能、コピー機能」を有する「装置」であり、「制御部１２、タッチパネル５０」、「印刷部５４、スキャン部５６」を備え、「制御部１２」は「ＣＰＵ１４」、「ＮＶＲＡＭ４０」を有している。
　そして、「タッチパネル５０」に表示される「待機画面７１」には、「カスタムボタンＢ１ないしＢ４、追加ボタンＢ５、メニューボタンＢ６」が表示され、「カスタムボタンＢ１は、「カスタムスキャン」に関するボタンであり、ユーザは、カスタムボタンＢ１にタッチすることによって、予め編集されたスキャン設定に基づいて、スキャン処理を実行することができ、カスタムボタンＢ２は、「カスタムコピー」に関するボタンであり、ユーザは、カスタムボタンＢ２にタッチすることによって、予め編集されたコピー設定に基づいて、コピー処理を実行することができ、カスタムボタンＢ３は、「カスタム印刷」に関するボタンであり、ユーザは、カスタムボタンＢ３にタッチすることによって、予め編集された印刷設定に基づいて、印刷処理を実行することができ」、この「スキャン処理」、「コピー処理」、「印刷処理」は、本願発明１の「原稿の画像を読み取って画像データを生成する画像読取処理、及び、画像データに基づいて用紙上に画像を形成する画像形成処理、の少なくとも一方に関する画像処理」に相当する。
　また、「ＣＰＵ１４」は、「カスタムボタンＢ２へ長押しの態様の指示座標が入力された場合」、「指示座標の入力の態様が、特定入力態様に一致するか否かを判断し」、「カスタムボタンＢ２への指示座標の入力の態様（例えば、長押し）が、設定テーブルＴＢ２に記憶されている特定入力態様２０２と一致するため」、「設定テーブルＴＢ２に記憶されている設定値を、ロード中設定テーブルとしてＲＡＭ３０に記憶させ」、「ロード中設定テーブルの設定値に従って、カスタムボタンに対応付けられている動作を実行し」、「カスタムボタンＢ１、Ｂ３、Ｂ４に対して長押しまたはダブルクリックの態様の指示座標が入力された場合の動作は、カスタムボタンＢ２に対して長押しまたはダブルクリックの態様の指示座標が入力された場合の動作と同様であ」るから、「カスタムボタンＢ１ないしＢ３」に対応付けられている「スキャン処理」、「コピー処理」又は「印刷処理」を実行するものといえる。
　そうすると、「ＣＰＵ１４」を有する「制御部１２」は、本願発明１の「原稿の画像を読み取って画像データを生成する画像読取処理、及び、画像データに基づいて用紙上に画像を形成する画像形成処理、の少なくとも一方に関する画像処理を制御する制御部」に相当する。
  
 イ　上記アで述べたとおり、引用発明では、「タッチパネル５０」に表示される「待機画面７１」には、「カスタムボタンＢ１ないしＢ４、追加ボタンＢ５、メニューボタンＢ６」が表示され、「カスタムボタンＢ１は、「カスタムスキャン」に関するボタンであり、ユーザは、カスタムボタンＢ１にタッチすることによって、予め編集されたスキャン設定に基づいて、スキャン処理を実行することができ、カスタムボタンＢ２は、「カスタムコピー」に関するボタンであり、ユーザは、カスタムボタンＢ２にタッチすることによって、予め編集されたコピー設定に基づいて、コピー処理を実行することができ、カスタムボタンＢ３は、「カスタム印刷」に関するボタンであり、ユーザは、カスタムボタンＢ３にタッチすることによって、予め編集された印刷設定に基づいて、印刷処理を実行することができ」るから、この「タッチパネル５０」は、「画像処理の動作に関する操作を受け付けるための操作ボタンを表示して、前記画像処理の操作をユーザから受け付ける」ものといえる。
　また、引用発明では、「複数点タッチを数値入力に用いる場合は」、「同時にいくつの指示座標に対してタッチがなされたのかを計測し」、「タッチされた指示座標の数に応じて、入力数値が１ないし５のいずれかであるかを判断し」、「判断した入力数値に応じて、変更対象設定の設定値を変更してもよい」から、「タッチパネル５０」が「複数点のタッチを検出可能」であることは明らかである。
　そうすると、引用発明の「タッチパネル５０」は、本願発明１の「前記画像処理の動作に関する操作を受け付けるための操作ボタンを表示して、前記画像処理の操作をユーザから受け付ける、複数のタッチを検出可能な操作部」に相当する。
  
 ウ　引用発明では、「ＣＰＵ１４」が、「カスタムボタンに対する指示座標の入力の態様が、シングルクリックであるか、長押しまたはダブルクリックであるか、それ以外の態様であるか、を判断し」、例えば、「カスタムボタンＢ２へ長押しの態様の指示座標が入力された場合の動作は」、「指示座標の入力の態様が、特定入力態様に一致するか否かを判断し、一致する場合」、「設定テーブルＴＢ２に記憶されている設定値を、ロード中設定テーブルとしてＲＡＭ３０に記憶させ」、「カスタムボタンに特定入力態様の指示座標が入力された時点から、予め定められた追加クリック時間内に、特定入力態様の指示座標が入力されたカスタムボタンの表示領域内で、指示座標が新たに検出されたか否かを判断し、すなわち、追加クリック操作が行われたか否かを判断し、追加クリック操作が行われた場合」、「追加クリック操作の回数を計測し、計測された追加クリック操作の回数を入力数値と判断し、変更対象設定テーブルＴＢＡに基づいて、ロード中設定テーブルに変更対象設定として記憶されている設定項目の設定値を変更し」、「追加クリック操作によって変更された設定値を、特定入力態様の指示座標が入力されたカスタムボタンの表示領域内に表示し」、「ロード中設定テーブルの設定値に従って、カスタムボタンに対応付けられている動作を実行し」、このとき、「設定値が変更されている場合には、変更後の設定値に従って動作を実行」し、「変更対象設定テーブルＴＢＡにおける、入力数値に対する変更対象設定項目の設定値は、解像度の場合、１００ｄｐｉ、３００ｄｐｉ、６００ｄｐｉ、１２００ｄｐｉ、２４００ｄｐｉであり、ファイル種類の場合、ＢＭＰ、ＪＰＧ、ＰＤＦ、ＰＮＧであり、カラー設定の場合、モノクロ、グレースケール、カラーであり、両面印刷設定の場合、片面、両面である」。
　さらに、引用発明では、「変更対象設定の設定値を変更するための数値入力の態様は、追加クリック操作に限られず」、「複数点タッチを数値入力に用いる場合は、Ｓ１１６においてＣＰＵ１４は、同時にいくつの指示座標に対してタッチがなされたのかを計測し、ＣＰＵ１４は、タッチされた指示座標の数に応じて、入力数値が１ないし５のいずれであるかを判断してもよく、ＣＰＵ１４は、判断した入力数値に応じて、変更対象設定の設定値を変更してもよい」から、「制御部１２」に含まれる「ＣＰＵ１４」が、「カスタムボタンの表示領域内での」「タッチされた指示座標の数に応じて」、「入力数値を判断して」、「変更対象設定の設定値を変更」し、「変更後の設定値に従って」「カスタムボタンに対応付けられている動作を実行」するものといえ、このことは、本願発明１の「前記制御部は、表示後の前記操作ボタンに対する１回のタッチ操作が行われるだけで、当該タッチ操作における前記操作ボタンの表示領域内のタッチ点数を識別し、識別したタッチ点数に応じた設定に基づく各々の前記画像処理を実行する」ことと、「前記制御部は、前記操作ボタンの表示領域内のタッチ点数を識別し、識別したタッチ点数に応じた設定に基づく各々の前記画像処理を実行する」ことで共通するといえる。
  
 エ　上記アで述べたとおり、引用発明の「多機能機１０」は、「プリンタ機能、スキャナ機能、コピー機能」を有する「装置」であるから、「画像処理装置」といい得るものである。 
  
　したがって、本願発明１と引用発明との間には、次の一致点、相違点があるといえる。
（一致点）
　原稿の画像を読み取って画像データを生成する画像読取処理、及び、画像データに基づいて用紙上に画像を形成する画像形成処理、の少なくとも一方に関する画像処理を制御する制御部と、前記画像処理の動作に関する操作を受け付けるための操作ボタンを表示して、前記画像処理の操作をユーザから受け付ける、複数点のタッチを検出可能な操作部と、を備え、前記制御部は、前記操作ボタンの表示領域内のタッチ点数を識別し、識別したタッチ点数に応じた設定に基づく各々の前記画像処理を実行する、画像処理装置。
（相違点）
　本願発明１は、「表示後の前記操作ボタンに対する１回のタッチ操作が行われるだけで、当該タッチ操作における前記操作ボタンの表示領域内のタッチ点数を識別」するものであるのに対し、引用発明は、カスタムボタンに対して特定入力態様の指示座標が入力されたことを検出した後に、タッチされた指示座標の数を識別するものである点。
（２）相違点についての判断
　上述のとおり、引用発明はカスタムボタンに対して特定入力態様の指示座標が入力されたことを検出した後に、タッチされた指示座標の数を識別するものであるため、画像処理を行うためには、カスタムボタンに対して、特定入力態様の入力、複数タッチという２回の操作が必要である。
　これに対し、本願発明１は１回のタッチ操作におけるタッチ点数を識別するため、１回の操作で画像処理を行うことができるものであり、この点は引用発明には記載されておらず、また、操作の単純化という効果を奏するものであるから、このようにすることが単なる設計的事項であるとはいえない。
　したがって、本願発明１は、当業者であっても、引用発明に基づいて容易に発明できたものであるとはいえない。
２．本願発明２−７について
　本願発明２−７も、本願発明１と同様に、「表示後の前記操作ボタンに対する１回のタッチ操作が行われるだけで、当該タッチ操作における前記操作ボタンの表示領域内のタッチ点数を識別」するという構成を有するものであるから、本願発明１と同じ理由により、当業者であっても、引用発明に基づいて容易に発明できたものとはいえない。
３．本願発明８について
　本願発明８も、本願発明１と同様に、「表示後の前記操作ボタンに対する１回のタッチ操作が行われるだけで、当該タッチ操作における前記操作ボタンの表示領域内のタッチ点数を識別」するという構成を有するものであるから、本願発明１と同じ理由により、当業者であっても、引用発明に基づいて容易に発明できたものとはいえない。
４．本願発明９について
　本願発明９も、本願発明１と同様に、「表示後の前記操作ボタンに対する１回のタッチ操作が行われるだけで、当該タッチ操作における前記操作ボタンの表示領域内のタッチ点数を識別」するという構成を有するものであるから、本願発明１と同じ理由により、当業者であっても、引用発明に基づいて容易に発明できたものとはいえない。
第７　原査定について
　平成３０年１１月８日付けの補正により、本願発明１−９は「表示後の前記操作ボタンに対する１回のタッチ操作が行われるだけで、当該タッチ操作における前記操作ボタンの表示領域内のタッチ点数を識別」するという事項を有するものとなっているため、当業者であっても、拒絶査定において引用された引用文献Ａ−Ｃに基づいて、容易に発明できたものとはいえない。したがって、原査定の理由を維持することはできない。
第８　当審拒絶理由について
ア　当審拒絶理由通知１について
１．理由１（特許法第２９条第１項第３号）について
　平成３０年１１月８日付けの補正により、本願発明１−５，８，９は「表示後の前記操作ボタンに対する１回のタッチ操作が行われるだけで、当該タッチ操作における前記操作ボタンの表示領域内のタッチ点数を識別」するという事項を有するものとなっているため、引用文献１に記載された発明であるとはいえない。したがって、この拒絶の理由は解消した。
２．理由２（特許法第２９条第２項）について
　平成３０年１１月８日付けの補正により、本願発明１−９は「表示後の前記操作ボタンに対する１回のタッチ操作が行われるだけで、当該タッチ操作における前記操作ボタンの表示領域内のタッチ点数を識別」するという事項を有するものとなっているため、当業者であっても、引用文献１，２に基づいて、容易に発明できたものとはいえない。したがって、この拒絶の理由は解消した。
イ　当審拒絶理由通知２について
１．理由１（特許法第３６条６項１号）について
　当審では、請求項１，８，９の「識別したタッチ点数に応じて各々の前記画像処理に基づく設定を実行する」という点は、発明の詳細な説明に記載されていないとの拒絶の理由を通知しているが、平成３０年１１月８日付けの補正により、「識別したタッチ点数に応じた設定に基づく各々の前記画像処理を実行する」と補正された結果、この拒絶の理由は解消した。
２．理由２（特許法第３６条６項２号）について
　当審では、請求項１，８，９の「識別したタッチ点数に応じて各々の前記画像処理に基づく設定を実行する」との記載では，この「各々の前記画像処理に基づ」いて、何の「設定を実行する」のか，すなわち，設定対象が何であるのかを特定することができず不明であるとの拒絶の理由を通知しているが、平成３０年１１月８日付けの補正により、「識別したタッチ点数に応じた設定に基づく各々の前記画像処理を実行する」と補正された結果、この拒絶の理由は解消した。
第９　むすび
　以上のとおり、原査定の理由によっては、本願を拒絶することはできない。
　また、他に本願を拒絶すべき理由を発見しない。
　よって、結論のとおり審決する。